(57)【要約】【課題】背面投射型表示装置を備える遊技機において、遊技機自体を大きくすることなく、表示画面を大型化することを目的とする。【解決手段】遊技機同士がそれらの境界に形成される空間ＳＰを利用してプロジェクタ本体４０、５０、６０を一部共有し合う。これにより、プロジェクタ本体４０、５０、６０や偏向ミラー４５がスクリーンの裏面側に突出する奥行き幅を少なくすることができ、背面投射型表示装置を薄型にすることができる。このことは、従来のパチンコ遊技場の構造を大きく変更することなくパチンコ遊技機のスクリーン７１、７２のサイズを大きくすることができることを意味する。つまり、プロジェクタ本体４０等の投射領域を比較的狭くして背面投射型表示装置を小型化しつつ、遊技機本体２０、３０のスクリーン７１、７２自体を大型化することができる。【選択図】　図１
2004133282.tif 000002
【特許請求の範囲】
【請求項１】
所定配置面上に隣合わせに配置されて、それぞれ裏面側からの投射によって表面側に表示を行うように形成された背面投射型の第１及び第２スクリーンと、
所定部分を共有するとともに、当該所定部分を前記第１及び第２スクリーンの間に配置し、前記第１及び第２スクリーンに裏面側からそれぞれ画像を投射する第１及び第２投射手段と、
を備える遊技機用の背面投射型表示装置。
【請求項２】
前記第１及び第２スクリーンは、横方向に分割された一対の半分領域からそれぞれなり、前記第１及び第２投射手段は、前記第１及び第２スクリーンのうち互いに近接する半分領域に画像をそれぞれ投射することを特徴とする請求項１記載の遊技機用の背面投射型表示装置。
【請求項３】
前記第１及び第２スクリーンの外側方に配置されて、前記第１及び第２スクリーンに裏面側から前記第１及び第２スクリーンのうち互いに離間する半分領域にそれぞれ画像を投射する第３及び第４投射手段をさらに備えることを特徴とする請求項２記載の遊技機用の背面投射型表示装置。
【請求項４】
前記第３及び第４投射手段の外側方において前記所定配置面上に配置されて、それぞれ裏面側からの投射によって表面側に表示を行うように形成された背面投射型の第３及び第４スクリーンと、前記第３投射手段と共有する所定部分を前記第１及び第３スクリーンの間に配置するとともに前記第３スクリーンの半分領域に裏面側から画像を投射する第５投射手段と、前記第４投射手段と共有する所定部分を前記第２及び第４スクリーンの間に配置するとともに前記第４スクリーンの半分領域に裏面側から画像を投射する第６投射手段とをさらに備えることを特徴とする請求項３記載の遊技機用の背面投射型表示装置。
【請求項５】
前記第１及び第２投射手段は、前記所定部分として光源を共有することを特徴とする請求項１から請求項４のいずれか記載の遊技機用の背面投射型表示装置。
【請求項６】
照明光分岐手段によって前記光源からの照明光を分岐して前記第１及び第２投射手段にそれぞれ設けた第１及び第２投射光学系に個別に入射させることを特徴とする請求項５記載の遊技機用の背面投射型表示装置。
【請求項７】
前記照明光分岐手段は、所定角度で配置された第１及び第２ミラー部分からなり、前記第１ミラー部分は、前記第１投射手段を構成するとともに照明光を前記第１投射光学系に入射させ、前記第２ミラー部分は、前記第２投射手段を構成するとともに照明光を前記第２投射光学系に入射させることを特徴とする請求項６記載の遊技機用の背面投射型表示装置。
【請求項８】
前記第１及び第２投射手段は、前記第１及び第２スクリーンの裏面側にそれぞれ配置されて前記第１及び第２投射光学系からの投射光を前記第１及び第２スクリーンにそれぞれ入射させる第１及び第２偏向ミラーを備えることを特徴とする請求項７記載の遊技機用の背面投射型表示装置。
【請求項９】
前記第１及び第２投射手段は、前記所定部分として光源及び投射光学系からなる投射装置を共有することを特徴とする請求項１から請求項４のいずれか記載の遊技機用の背面投射型表示装置。
【請求項１０】
光路分岐手段によって前記投射装置からの投射光を分岐して前記第１及び第２スクリーンに個別に入射させることを特徴とする請求項９記載の遊技機用の背面投射型表示装置。
【請求項１１】
前記光路分岐手段は、所定角度で配置された第１及び第２ミラー部分からなり、前記第１ミラー部分は、前記第１投射手段を構成し、前記第２ミラー部分は、前記第２投射手段を構成することを特徴とする請求項１０記載の遊技機用の背面投射型表示装置。
【請求項１２】
前記第１及び第２投射手段は、前記第１及び第２スクリーンの裏面側にそれぞれ配置されて前記第１及び第２ミラー部分からの投射光を前記第１及び第２スクリーンにそれぞれ入射させる第１及び第２偏向ミラーを備えることを特徴とする請求項１１記載の遊技機用の背面投射型表示装置。
【請求項１３】
前記第１及び第２投射手段のうち前記所定部分を覆う遮蔽体に、前記所定部分にアクセスするための開閉部材を設けたことを特徴とする請求項１から請求項１２のいずれか記載の遊技機用の背面投射型表示装置。
【請求項１４】
前記開閉部材を介して前記所定部分の一部である光源を交換可能に配置したことを特徴とする請求項１３記載の遊技機用の背面投射型表示装置。
【発明の詳細な説明】
【０００１】
【技術分野】
本発明は、パチンコ、スロットマシン等の遊技機用の背面投射型表示装置に関する。
【０００２】
【従来技術】
パチンコ等の遊技機に背面投射型表示装置すなわち背面投射型プロジェクタを用いることについては、いくつかの提案がある（例えば、特許文献１参照）。
【０００３】
【特許文献１】
特開平６−３５０６６号公報
【０００４】
【発明が解決しようとする課題】
しかし、いずれも背面投射型プロジェクタの構造的な限界から、遊技機の薄型化の要求と投射画面の大型化の要求とを両立することができない。つまり、既存のプロジェクタにおいては、光源からライトバルブ及び投射レンズを経てスクリーンに至る適切な光路を確保する必要があることから、表示画面の大型化とプロジェクタの小型化は相反する要求となり、省スペースを維持しつつ表示画面を大型化してゲームの趣向性を向上させることができない。
【０００５】
そこで、本発明は、背面投射型表示装置を備える遊技機において、遊技機自体を大きくすることなく、表示画面を大型化することを目的とする。
【０００６】
【課題を解決するための手段】
上記課題を解決するため、本発明の遊技機用の背面投射型表示装置は、所定配置面上に隣合わせに配置されて、それぞれ裏面側からの投射によって表面側に表示を行うように形成された背面投射型の第１及び第２スクリーンと、所定部分を共有するとともに、この所定部分を第１及び第２スクリーンの間に配置し、第１及び第２スクリーンに裏面側からそれぞれ画像を投射する第１及び第２投射手段とを備える。
【０００７】
上記背面投射型表示装置では、第１及び第２スクリーンに裏面側からそれぞれ画像を投射する第１及び第２投射手段が、所定部分を共有するので、その共有分だけ空間を効率よく活用することができる。また、共有する所定部分を第１及び第２スクリーンの間に配置するので、遊技機用の背面投射型表示装置を薄型にすることができる。この点についてさらに詳しく説明すると、遊技機は、遊技場において横一列に配置されることが多い。本発明では、かかる遊技場の構造・配置的特徴を活かして、横一列に配置される遊技機同士がそれらの境界に形成される空間を利用して背面投射型表示装置を一部共有し合うこととした。これにより、背面投射型表示装置がスクリーンの裏面側への突出量すなわち厚み幅を少なくすることができ、背面投射型表示装置を薄型にすることができる。このことは、従来の遊技場の構造を大きく変更することなく遊技機の表示画面のサイズを大きくすることができることを意味する。
【０００８】
上記背面投射型表示装置の具体的な態様では、第１及び第２スクリーンが、横方向に分割された一対の半分領域からそれぞれなり、第１及び第２投射手段が、第１及び第２スクリーンのうち互いに近接する半分領域に画像をそれぞれ投射する。この場合、第１及び第２投射手段による単独の投射領域を比較的狭くして背面投射型表示装置を小型化しつつ、遊技機の表示画面自体を大型化することができる。
【０００９】
また、第１及び第２スクリーンの外側方（すなわち外側の側方位置）に配置されて、第１及び第２スクリーンに裏面側から第１及び第２スクリーンのうち互いに離間する半分領域にそれぞれ画像を投射する第３及び第４投射手段をさらに備える。この場合、第１及び第３投射手段によって第１スクリーンに画像が投射され、第２及び第４投射手段によって第２スクリーンに画像が投射される。
【００１０】
上記背面投射型表示装置の別の具体的な態様では、第３及び第４投射手段の外側方において所定配置面上に配置されて、それぞれ裏面側からの投射によって表面側に表示を行うように形成された背面投射型の第３及び第４スクリーンと、第３投射手段との間で共有する所定部分を第１及び第３スクリーンの間に配置するとともに第３スクリーンの片側領域に裏面側から画像を投射する第５投射手段と、第４投射手段との間で共有する所定部分を第２及び第４スクリーンの間に配置するとともに第４スクリーンの片側領域に裏面側から画像を投射する第６投射手段とをさらに備える。この場合、横一列に連続的に並ぶ各遊技機に大きなスクリーンを形成することができる。
【００１１】
上記背面投射型表示装置の別の具体的な態様では、第１及び第２投射手段が、所定部分として光源を共有する。この場合、光源を効率的に配置して活用することができる。
【００１２】
上記背面投射型表示装置の別の具体的な態様では、照明光分岐手段によって光源からの照明光を分岐して第１及び第２投射手段にそれぞれ設けた第１及び第２投射光学系に個別に入射させる。
【００１３】
上記背面投射型表示装置の別の具体的な態様では、照明光分岐手段が、所定角度で配置された第１及び第２ミラー部分からなり、第１ミラー部分は、第１投射手段を構成するとともに照明光を第１投射光学系に入射させ、第２ミラー部分は、第２投射手段を構成するとともに照明光を第２投射光学系に入射させる。
【００１４】
上記背面投射型表示装置の別の具体的な態様では、第１及び第２投射手段が、第１及び第２スクリーンの裏面側にそれぞれ配置されて第１及び第２投射光学系からの投射光を第１及び第２スクリーンにそれぞれ入射させる第１及び第２偏向ミラーを備える。この場合、第１及び第２偏向ミラーによって薄型の空間に十分な光路を確保することができる。
【００１５】
上記背面投射型表示装置の別の具体的な態様では、第１及び第２投射手段が、所定部分として光源及び投射光学系からなる投射装置を共有する。この場合、光源や投射光学系からなる投射装置を効率的に活用することができる。
【００１６】
上記背面投射型表示装置の別の具体的な態様では、光路分岐手段によって投射装置からの投射光を分岐して第１及び第２スクリーンに個別に入射させる。
【００１７】
上記背面投射型表示装置の別の具体的な態様では、光路分岐手段が、所定角度で配置された第１及び第２ミラー部分からなり、第１ミラー部分は、第１投射手段を構成し、第２ミラー部分は、第２投射手段を構成する。
【００１８】
上記背面投射型表示装置の別の具体的な態様では、第１及び第２投射手段は、第１及び第２スクリーンの裏面側にそれぞれ配置されて第１及び第２ミラー部分からの投射光を第１及び第２スクリーンにそれぞれ入射させる第１及び第２偏向ミラーを備える。
【００１９】
上記背面投射型表示装置の別の具体的な態様では、第１及び第２投射手段のうち所定部分を覆う遮蔽体に、所定部分にアクセスするための開閉部材を有する。この場合、光源や投射光学系といった部分のメンテナンスが簡単になる。
【００２０】
上記背面投射型表示装置の別の具体的な態様では、開閉部材を介して所定部分の一部である光源を交換可能に配置する。この場合、光源の交換が簡易になる。
【００２１】
【発明の実施の形態】
〔第１実施形態〕
図１（ａ）及び（ｂ）は、第１実施形態に係る背面投射型表示装置の構造を説明する平面図及び正面図である。この背面投射型表示装置は、パチンコ遊技機用のものであり、ＡＢ方向に隣接してほぼ横一直線に配列される複数の遊技機本体２０、３０に組み込まれる。これら遊技機本体２０、３０は、基本的には同一構造を有し、パチンコ遊技場内においてＡＢ方向に隣接して多数配置される。各遊技機本体２０、３０の筐体２１、３１間には、両者に兼用のプロジェクタ本体４０が組み込まれている。このプロジェクタ本体４０は、両遊技機本体２０、３０に設けた背面投射型のスクリーン７２、７１のうち近接する半分領域７１ａ、７２ｂに投射像をそれぞれ形成する。また、両遊技機本体２０、３０の外側方にも、プロジェクタ本体４０と同一構造のプロジェクタ本体５０、６０が配置されている。これらのプロジェクタ本体４０、５０、６０は、照明装置４１と、分岐ミラー４２と、一対のカラー液晶パネル４３ａ、４３ｂと、それぞれが投射光学系である一対の投射レンズ４４ａ、４４ｂとをそれぞれ備える。
【００２２】
投射画像を生成するための、プロジェクタ本体４０に用いられる光変調素子としては、ＬＣＤ（Ｌｉｑｕｉｄ　Ｃｒｙｓｔａｌ　Ｄｉｓｐｌａｙ）を用いたものやＤＭＤ（Ｄｉｇｉｔａｌ　Ｍｉｃｒｏ　Ｍｉｒｒｏｒ　Ｄｅｖｉｃｅ、テキサスインスツルメント社の登録商標）用いたもの等がある。光変調素子としてどれを用いてもよいが、本実施形態においてはＬＣＤを用いた例について説明する。
図２は、パチンコ遊技場内におけるパチンコ遊技機の配列を概念的に説明する平面図である。図からも明らかなように、図１の遊技機本体２０、３０に対応する多数の遊技機本体２０Ｃが一列に並んで多数配置されている。さらに、隣接する一対の遊技機本体２０Ｃ、２０Ｃに挟まれた空間には、図１のプロジェクタ本体４０、５０、６０に対応するプロジェクタ本体４０Ｃが組み込まれている。各プロジェクタ本体４０Ｃは、その左右両側の遊技機本体２０Ｃ、２０Ｃに画像を半分ずつ投射する。なお、両端のプロジェクタ本体４０Ｅは、単独で動作するものであり、隣接する単一の遊技機本体２０Ｃに対し半分の画像を投射する。
【００２３】
図３は、図１に示すプロジェクタ本体４０の構造を説明する拡大図である。照明装置４１は、ほぼ平行な照明光ＩＬを発生する光源４１ａを有する。この光源４１ａからの照明光ＩＬは、照明光分岐手段である分岐ミラー４２によって反対方向に進行する平行な分岐光ＩＬ１、ＩＬ２に２分割される。ここで、分岐ミラー４２は、第１ミラー部分４２ａ及び第２ミラー部分４２ｂからなる。前者の第１ミラー部分４２ａに入射した照明光ＩＬは、分岐光ＩＬ１として第１カラー液晶パネル４３ａを照明し、後者の第２ミラー部分４２ｂに入射した照明光ＩＬは、分岐光ＩＬ２として第２カラー液晶パネル４３ｂを照明する。第１カラー液晶パネル４３ａを射出した投射光ＰＬ１は、第１投射光学系である図面右側の投射レンズ４４ａを通過し、第２カラー液晶パネル４３ｂを射出した投射光ＰＬ２は、第２投射光学系である図面左側の投射レンズ４４ｂを通過する。第１カラー液晶パネル４３ａは、図示を省略する本体側制御装置からの制御信号に基づいて動作する画像処理装置８１に接続されて投射用の所望の画像を表示する。また、第２カラー液晶パネル４３ｂも、上述の本体側制御装置からの制御信号に基づいて動作する別の画像処理装置８２に接続されて投射用の所望の画像を表示する。
【００２４】
図１に戻って、プロジェクタ本体４０において、投射レンズ４４ａを経た第１カラー液晶パネル４３ａからの投射光ＰＬ１は、遊技機本体２０に設けたスクリーン７１の背後に設置された偏向ミラー４５を構成する片方のミラー部分４５ａに入射して、スクリーン７１のうち左半分領域７１ａに投射画像を形成する。一方、投影レンズ４４ｂを経た第２カラー液晶パネル４３ｂからの投射光ＰＬ２は、遊技機本体３０に設けたスクリーン７２の背後に設置された偏向ミラー４５を構成する片方のミラー部分４５ｂに入射して、遊技機本体３０に設けたスクリーン７２のうち右半分領域７２ｂに投射画像を形成する。なお、両スクリーン７１、７２はほぼ同一の配置面上にアライメントして固定されている。
【００２５】
ここで、プロジェクタ本体４０に設けた照明装置４１と、分岐ミラー４２と、カラー液晶パネル４３ａと、投射レンズ４４ａと、偏向ミラー４５を構成する一方のミラー部分４５ａとは、第１投射手段を構成する。また、プロジェクタ本体４０に設けた照明装置４１と、分岐ミラー４２と、カラー液晶パネル４３ｂと、投射レンズ４４ｂと、偏向ミラー４５を構成する一方のミラー部分４５ｂとは、第２投射手段を構成する。つまり、両投射手段は、照明装置４１すなわち光源４１ａを共有する。
【００２６】
以上説明したようなプロジェクタ本体４０による投射画像の形成は、両スクリーン７１、７２の外側方に配置された一対のプロジェクタ本体５０、６０によっても同様に行われる。つまり、図面右側のプロジェクタ本体５０によって、遊技機本体２０に設けたスクリーン７１のうち右半分領域７１ｂに投射画像が形成される。この結果、スクリーン７１には、中央のプロジェクタ本体４０に設けた第１カラー液晶パネル４３ａからの投射像と、右側のプロジェクタ本体５０に設けた第２カラー液晶パネル４３ｂからの投射像とを継ぎ合わせた像が切れ目なく形成される。なお、上述の両カラー液晶パネル４３ａ、４３ｂは、それぞれ別個のプロジェクタユニット４０，５０に組み込まれているが、単一の画像処理装置８１に制御されて動作しており、遊技機本体２０のスクリーン７１上には、統一的な画像が形成される。
【００２７】
一方、図面左側のプロジェクタ本体６０によっても、遊技機本体３０に設けたスクリーン７２のうち左半分領域７２ａに投射画像が形成される。この結果、スクリーン７２には、中央のプロジェクタ本体４０に設けた第２カラー液晶パネル４３ｂからの投射像と、左側のプロジェクタ本体６０に設けた第１カラー液晶パネル４３ａからの投射像とを継ぎ合わせた像が切れ目なく形成される。なお、上述の両カラー液晶パネル４３ａ、４３ｂは、それぞれ別個のプロジェクタユニット６０、４０に組み込まれているが、単一の画像処理装置８２に制御されて動作しており、遊技機本体３０のスクリーン７２上には、統一的な画像が形成される。
【００２８】
図４は、遊技機本体２０の構造を模式的に示す側方断面図である。遊技機本体２０中には、透光性のフロントパネル２２の後方に、盤面２３が配置されている。この盤面２３は、透光性の板材からなり、表面２３ａの適当な領域には、塗装によって遊技に関連する特有のパターンが形成されている。また、盤面２３の表面２３ａ側には、適所にパチンコ玉の経路を決定する釘２３ｂが複数取り付けられており、始動入賞口２３ｄや大勝入賞口２３ｅ等も形成されている。なお、大勝入賞口２３ｅは、始動入賞口２３ｄに一定期間中に連続してパチンコ玉が入る等の所定条件を満たす場合に開くようになっている。
【００２９】
一方、盤面２３の裏面２３ｃには、多数のマイクロレンズを形成したレンチキュラスクリーンからなるスクリーンフィルム７１ｄが貼り付けられており、隙間Ｇを介してフレネルレンズ７１ｅが固定されている。ここで、スクリーンフィルム７１ｄ及びフレネルレンズ７１ｅは、図１のスクリーン７１を構成する。
【００３０】
また、盤面２３の裏面２３ｃ側の下部には、遊技機本体２０の動作を制御して、パチンコ玉の通過監視、大勝入賞口２３ｅの開閉、入賞状態の管理等を含む遊技進行状態を制御する本体側制御装置２５が取り付けられている。
【００３１】
なお、図示を省略するが、遊技機本体３０も遊技機本体２０と同様の構造及び形状を有する。つまり、遊技機本体３０に設けたスクリーン７２も、スクリーンフィルム及びフレネルレンズからなり、パチンコ玉が通る盤面の裏側に２層構造を有して固定される。
【００３２】
図１に戻って、両遊技機本体２０、３０間には、一定の空間ＳＰが形成されており、この空間ＳＰに収まるようにプロジェクタ本体４０が配置されている。プロジェクタ本体４０の正面側には、プロジェクタ本体４０の前面側を覆うための遮蔽体である遮蔽板４７が形成されている。この遮蔽板４７の一部には、開閉部材である開閉扉４８が形成されている。この開閉扉４８は、プロジェクタ本体４０のメンテナンスのために設けられており、照明装置４１の光源を交換する際に開閉される。また、この開閉扉４８を利用して、カラー液晶パネル４３ａ、４３ｂ、投射レンズ４４ａ、４４ｂ等の修理交換も可能である。
【００３３】
上記と同様に、プロジェクタ本体５０正面に設けた遮蔽板５７の一部にも、開閉扉５８が形成されている。この開閉扉５８を利用して、プロジェクタ本体５０を構成する照明装置４１の光源、カラー液晶パネル４３ａ、４３ｂ、投射レンズ４４ａ、４４ｂ等の修理交換が可能である。さらに、プロジェクタ本体６０正面に設けた遮蔽板６７の一部にも、開閉扉６８が形成されている。この開閉扉６８を利用して、プロジェクタ本体６０を構成する照明装置４１の光源、カラー液晶パネル４３ａ、４３ｂ、投射レンズ４４ａ、４４ｂ等の修理交換が可能である。
【００３４】
以下、第１実施形態に係る背面投射型表示装置の動作について説明する。この背面投射型表示装置では、例えば遊技機本体２０に設けた本体側制御装置２５が動作して、これに付属する画像処理装置８１からプロジェクタ本体４０のカラー液晶パネル４３ａに画像信号が出力される。これと同時に、画像処理装置８１からプロジェクタ本体５０のカラー液晶パネル４３ｂにも画像信号が出力される。この結果、プロジェクタ本体４０のカラー液晶パネル４３ａの画像が投射レンズ４４ａを介してスクリーン７１のうち左半分領域７１ａに投射され、反対側のプロジェクタ本体５０のカラー液晶パネル４３ｂの画像が投射レンズ４４ｂを介してスクリーン７１のうち右半分領域７１ｂに投射される。これにより、遊技機本体２０のスクリーン７１上には、統一的な画像が形成される。この際、スクリーン７１に投射される画像は、各遊技機本体２０における遊技の進行状況に応じて変化するものである。
【００３５】
以上は遊技機本体２０に関連する動作の説明であったが、遊技機本体３０も同様に動作する。つまり、本体側制御装置２５や画像処理装置８２の制御の下、プロジェクタ本体４０のカラー液晶パネル４３ｂの画像が投射レンズ４４ｂを介してスクリーン７２のうち右半分領域７２ｂに投射され、反対側のプロジェクタ本体６０に設けたカラー液晶パネル４３ａの画像が投射レンズ４４ａを介してスクリーン７２のうち左半分領域７２ａに投射される。これにより、遊技機本体３０のスクリーン７２上には、遊技の進行状況に応じて統一的な画像が形成される。
【００３６】
以上の説明から明らかなように、第１実施形態の背面投射型表示装置では、遊技機同士がそれらの境界に形成される空間ＳＰを利用してプロジェクタ本体４０、５０、６０を一部共有し合う。さらに、各スクリーン７１、７２を２つに分割して個別に投射像を形成する。これにより、プロジェクタ本体４０、５０、６０や偏向ミラー４５がスクリーンの裏面側に突出する奥行き幅を少なくすることができ、背面投射型表示装置を薄型にすることができる。このことは、従来のパチンコ遊技場の構造を大きく変更することなくパチンコ遊技機のスクリーン７１、７２のサイズを大きくすることができることを意味する。つまり、プロジェクタ本体４０等の投射像形成領域を比較的狭くしてプロジェクタ本体４０、５０等を小型化しつつ、遊技機本体２０、３０のスクリーン７１、７２を全体として大型化することができる。
〔第２実施形態〕
以下、第２実施形態の背面投射型表示装置について説明する。第２実施形態の背面投射型表示装置は、第１実施形態の表示装置を変形したものであり、遊技機本体２０、３０等の構造は同一であるので、異なる部分についてのみ説明する。
【００３７】
図５（ａ）及び（ｂ）は、第２実施形態に係る背面投射型表示装置の構造を説明する平面図及び正面図である。各遊技機本体２０、３０の筐体２１、３１間には、両遊技機本体２０、３０に設けたスクリーン７２、７１のうち近接する半分領域７２ｂ、７１ａだけに投射像をそれぞれ形成する兼用のプロジェクタ本体１４０が組み込まれている。なお、遊技機本体２０の右側にも、プロジェクタ本体１４０と同一構造のプロジェクタ本体１５０が配置されており、遊技機本体３０の左側にも、プロジェクタ本体１４０と同一構造のプロジェクタ本体１６０が配置されている。
【００３８】
ここで、プロジェクタ本体１４０は、照明装置１４１と、カラー液晶パネル１４３と、投射レンズ１４４と、分岐ミラー１４２とを備える。このうち、照明装置１４１、カラー液晶パネル１４３、投射レンズ１４４等は、投射装置を構成する。照明装置１４１に設けた光源１４１ａからの照明光は、カラー液晶パネル１４３を照明し、カラー液晶パネル１４３を射出した投射光は、投射レンズ１４４を通過する。投射レンズ１４４を通過した投射光は、光路分岐手段である分岐ミラー１４２によって反対方向に進行する投射光ＰＬ１、ＰＬ２に２分割される。ここで、分岐ミラー１４２は、第１ミラー部分１４２ａ及び第２ミラー部分１４２ｂからなる。前者の第１ミラー部分１４２ａに入射した投射光は、投射光ＰＬ１として、偏向ミラー１４５を構成するミラー部分１４５ａに入射して、遊技機本体２０に設けたスクリーン７１のうち左半分領域７１ａに投射画像を形成する。一方、後者の第２ミラー部分１４２ｂに入射した投射光は、投射光ＰＬ２として、偏向ミラー１４５を構成するミラー部分１４５ｂに入射して、遊技機本体３０に設けたスクリーン７２のうち右半分領域７２ｂに投射画像を形成する。
【００３９】
以上のような投射画像の形成は、スクリーン７２、７１の外側方に配置された一対のプロジェクタ本体１５０、１６０によっても同様に行われる。プロジェクタ本体１５０側について説明すると、図面右側のプロジェクタ本体１５０によって、遊技機本体２０に設けたスクリーン７１のうち右半分領域７１ｂに投射画像が形成される。この結果、スクリーン７１には、中央のプロジェクタ本体１４０に設けたカラー液晶パネル１４３の右半分からの投射像と、右側のプロジェクタ本体１５０に設けたカラー液晶パネル１４３の左半分からの投射像とを継ぎ合わせた像が切れ目なく形成される。なお、カラー液晶パネル１４３は、左右半分単位で独立に駆動されており、例えばプロジェクタ本体１４０のカラー液晶パネル１４３の右半分と、プロジェクタ本体１５０のカラー液晶パネル１４３の左半分とが協働して、スクリーン７１上に一体的な画像を形成する。
【００４０】
ところで、この第２実施形態では、プロジェクタ本体１４０等によって各スクリーン７１、７２に対し上向きに傾けて投射光を入射させている。これは、カラー液晶パネル１４３が、各スクリーン７１、７２単位の表示領域で考えると、光軸を挟んで等距離だけずれた位置に配置されていることに対応している。このような状態で投射光を入射させることにより、各スクリーン７１、７２の各位置における結像状態をほぼ一致させることができる。
【００４１】
以上、実施形態に即して本発明を説明したが、本発明は、上記実施形態に限定されるものではない。例えば、背面投射型表示装置を組み込む対象は、パチンコ遊技機に限らず、スロットマシンその他の各種遊技機であって、店内に一列に配列されるものとすることができる。
【００４２】
【発明の効果】
以上説明したように、本発明に係る背面投射型表示装置によれば、所定部分を共有することによって共有分だけ空間を効率よく活用することができる。また、共有する所定部分を第１及び第２スクリーンの間に配置するので、遊技機用の背面投射型表示装置を薄型にすることができる。
【図面の簡単な説明】
【図１】（ａ）、（ｂ）は、第１実施形態の平面図及び正面図である。
【図２】パチンコ遊技場内でのパチンコ遊技機の配列の概念図である。
【図３】図１に示すプロジェクタ本体の構造を説明する図である。
【図４】遊技機本体の構造を示す側方断面図である。
【図５】（ａ）、（ｂ）は、第２実施形態の平面図及び正面図である。
【符号の説明】
２０，３０　遊技機本体、　２５　本体側制御装置、　４０，５０，６０、　プロジェクタ本体　４１　照明装置、　４１ａ　光源、　４２　分岐ミラー、　４３ａ，４３ｂ　カラー液晶パネル、　４４ａ，４４ｂ　投射レンズ、　４５　偏向ミラー、　４８，５８，６８　開閉扉、　７１，７２　スクリーン、　７２ａ，７１ａ　半分領域、　８１，８２　画像処理装置
【図１】
2004133282.tif 000003
【図２】
2004133282.tif 000004
【図３】
2004133282.tif 000005
【図４】
2004133282.tif 000006
【図５】
2004133282.tif 000007